(57)【要約】【課題】逆方向の動きを同時に表現しながらも、目に過度な疲労を与えることがなく、また、動きを正確に認識可能とする技術を提供する。【解決手段】表示体１は、凸部又は凹部を含んだレリーフ型の第１及び第２回折格子がそれぞれ設けられたホログラム領域ＨＲ１及びＨＲ２を含み、第１回折格子は、傾き角を変化させる観察条件下で、第１回折光を表示する部分が移動するように構成され、第２回折格子は、上観察条件下で、第２回折光を表示する部分が、第１ホログラム領域において回折光を表示する部分が移動する方向とは逆方向へ移動するように構成され、第１及び第２回折格子において、凸部又は凹部の配列方向及び中心間距離の少なくとも一方は、長さ３ｍｍ当たり３以上の段階で変化しており、長さ３ｍｍ当たりの凸部又は凹部の配列方向の変化は１０°乃至４５°の範囲内にある。【選択図】図１
2019020594.tif 000002
【特許請求の範囲】
【請求項１】
互いに隣り合った第１及び第２ホログラム領域を含んだ表示体であって、
前記第１ホログラム領域には、複数の第１凸部又は凹部を含んだレリーフ型の第１回折格子が設けられ、前記第１回折格子において、前記複数の第１凸部又は凹部の配列方向及び中心間距離の少なくとも一方は、長さ３ｍｍ当たり３以上の段階で変化しており、長さ３ｍｍ当たりの前記複数の第１凸部又は凹部の配列方向の変化は１０°乃至４５°の範囲内にあるか、又は、長さ３ｍｍ当たりの前記複数の第１凸部又は凹部の中心間距離の変化は１００ｎｍ乃至４００ｎｍの範囲内にあり、前記第１回折格子は、前記表示体に対する照明方向及び前記表示体の観察方向を一定としたまま、前記表示体の傾き角を変化させる観察条件下で、前記第１ホログラム領域において第１回折光を表示する部分が移動するように構成され、
前記第２ホログラム領域には、複数の第２凸部又は凹部を含んだレリーフ型の第２回折格子が設けられ、前記第２回折格子において、前記複数の第２凸部又は凹部の配列方向及び中心間距離の少なくとも一方は、長さ３ｍｍ当たり３以上の段階で変化しており、長さ３ｍｍ当たりの前記複数の第２凸部又は凹部の配列方向の変化は１０°乃至４５°の範囲内にあるか、又は、長さ３ｍｍ当たりの前記複数の第２凸部又は凹部の中心間距離の変化は１００ｎｍ乃至４００ｎｍの範囲内にあり、前記第２回折格子は、前記観察条件下で、前記第２ホログラム領域において、第２回折光を表示する部分が、前記第１ホログラム領域において前記第１回折光を表示する部分が移動する方向とは逆方向へ移動するように構成された表示体。
【請求項２】
前記第１及び第２ホログラム領域は、短軸の長さが３ｃｍであり、長軸の長さが５ｃｍである楕円によって囲まれた範囲内で配列している請求項１に記載の表示体。
【請求項３】
前記第１ホログラム領域は、３以上の第１サブ領域を含み、前記３以上の第１サブ領域の各々において、前記複数の第１凸部又は凹部の配列方向及び中心間距離は一定であり、前記３以上の第１サブ領域は、前記複数の第１凸部又は凹部の配列方向及び中心間距離の少なくとも一方が異なっており、
前記第２ホログラム領域は、３以上の第２サブ領域を含み、前記３以上の第２サブ領域の各々において、前記複数の第２凸部又は凹部の配列方向及び中心間距離は一定であり、前記３以上の第２サブ領域は、前記複数の第２凸部又は凹部の配列方向及び中心間距離の少なくとも一方が異なっている請求項１又は２に記載の表示体。
【請求項４】
前記３以上の第１サブ領域は入れ子状に配列しており、前記３以上の第２サブ領域は入れ子状に配列している請求項３に記載の表示体。
【請求項５】
前記３以上の第１サブ領域は一列に配列しており、前記３以上の第２サブ領域は一列に配列している請求項３に記載の表示体。
【請求項６】
前記３以上の第１サブ領域の配列方向と、前記３以上の第２サブ領域の配列方向とは、前記第１及び第２ホログラム領域の配列方向と等しい請求項３に記載の表示体。
【請求項７】
前記３以上の第１サブ領域は第１方向に配列し、前記３以上の第２サブ領域は前記第１方向に配列し、前記第１及び第２ホログラム領域は、前記第１方向と交差する第２方向に配列している請求項３に記載の表示体。
【請求項８】
前記３以上の第１サブ領域のうち、１つを間に挟んで隣り合った２つの距離は、１０μｍ乃至２０μｍの範囲内にあり、前記３以上の第２サブ領域のうち、１つを間に挟んで隣り合った２つの距離は、１０μｍ乃至２０μｍの範囲内にある請求項３乃至７の何れか１項に記載の表示体。
【請求項９】
前記３以上の第１サブ領域のうち、１つを間に挟んで隣り合った２つの距離は、０．１ｍｍ乃至１５ｍｍの範囲内にあり、前記３以上の第２サブ領域のうち、１つを間に挟んで隣り合った２つの距離は、０．１ｍｍ乃至１５ｍｍの範囲内にある請求項３乃至７の何れか１項に記載の表示体。
【請求項１０】
前記３以上の第１サブ領域は、それぞれ、前記３以上の第２サブ領域と等しい形状を有している請求項３乃至９の何れか１項に記載の表示体。
【請求項１１】
前記第１回折格子は、前記観察条件において、前記傾き角と前記第１回折光を表示する部分の移動距離とが非線形的な第１関係になるように構成され、前記第２回折格子は、前記観察条件において、前記傾き角と前記第２回折光を表示する部分の移動距離とが非線形的な第２関係になるように構成された請求項１乃至１０の何れか１項に記載の表示体。
【請求項１２】
前記第１及び第２関係は互いに異なる請求項１１に記載の表示体。
【請求項１３】
前記第１及び第２ホログラム領域を各々が含んだ複数の表示領域を含んだ請求項１乃至１２の何れか１項に記載の表示体。
【請求項１４】
前記複数の表示領域の一方が含んでいる前記第１及び第２ホログラム領域は、それぞれ、前記複数の表示領域の他方が含んでいる前記第２及び第１ホログラム領域と等しい形状を有している請求項１３に記載の表示体。
【請求項１５】
前記第１及び第２ホログラム領域は互いに等しい形状を有している請求項１乃至１４の何れか１項に記載の表示体。
【請求項１６】
前記第１及び第２ホログラム領域は１以上の文字に対応した形状を有している請求項１乃至１５の何れか１項に記載の表示体。
【請求項１７】
表面にレリーフ構造を有するレリーフ構造形成層と、前記表面を被覆した反射層とを具備し、前記第１及び第２ホログラム領域は、前記反射層の表面又は前記レリーフ構造形成層と前記反射層との界面に設けられた請求項１乃至１６の何れか１項に記載の表示体。
【請求項１８】
請求項１乃至１７の何れか１項に記載の表示体を含んだ転写材層と、前記転写材層を剥離可能に支持した支持体とを具備した転写箔。
【請求項１９】
請求項１乃至１７の何れか１項に記載の表示体と、前記表示体の一方の主面に設けられた粘着層とを具備した粘着ラベル。
【請求項２０】
請求項１乃至１７の何れか１項に記載の表示体と、前記表示体を支持した物品とを具備したラベル付き物品。
【発明の詳細な説明】
【技術分野】
【０００１】
本発明は、表示体、転写箔、粘着ラベル及びラベル付き物品に関する。
【背景技術】
【０００２】
従来から、商品等が真正品であることを示すために、偽造や複製が困難なレリーフ型のホログラムを含んだ表示体が用いられている。
【０００３】
レリーフ型ホログラムは、凹凸構造から構成されている。これら凹部又は凸部のピッチや配列方向などを適宜設計すると、所望の色の画像をレリーフ型ホログラムに表示させることや、その色を視認可能な角度範囲を制限することなどが可能となる。例えば、レリーフ型の回折格子が各々に設けられた複数のセルを配置し、回折格子を構成している凹部又は凸部のピッチや配列方向をセル間で少しずつ変化させたレリーフ型ホログラムは、その傾き角を変化させると、特定の色を表示する部分が移動する。従って、この技術を用いると、動きを表現することが可能となる（例えば、特許文献１を参照）。
【先行技術文献】
【特許文献】
【０００４】
【特許文献１】特開平２００７−３３４０７６号公報
【発明の概要】
【発明が解決しようとする課題】
【０００５】
本発明者らは、ホログラムで複雑な動きを表現するべく検討した。その結果、一方向の動きを表現するホログラムとは異なり、逆方向の動きを同時に表現するホログラムは、これを観察した場合に、目の疲労が激しく、また、動きを正確に認識できないことがあることを見出した。
【０００６】
そこで、本発明は、逆方向の動きを同時に表現しながらも、目に過度な疲労を与えることがなく、また、動きを正確に認識可能とする技術を提供することを目的とする。
【課題を解決するための手段】
【０００７】
本発明の一側面によると、互いに隣り合った第１及び第２ホログラム領域を含んだ表示体であって、前記第１ホログラム領域には、複数の第１凸部又は凹部を含んだレリーフ型の第１回折格子が設けられ、前記第１回折格子において、前記複数の第１凸部又は凹部の配列方向及び中心間距離の少なくとも一方は、長さ３ｍｍ当たり３以上の段階で変化しており、長さ３ｍｍ当たりの前記複数の第１凸部又は凹部の配列方向の変化は１０°乃至４５°の範囲内にあるか、又は、長さ３ｍｍ当たりの前記複数の第１凸部又は凹部の中心間距離の変化は１００ｎｍ乃至４００ｎｍの範囲内にあり、前記第１回折格子は、前記表示体に対する照明方向及び前記表示体の観察方向を一定としたまま、前記表示体の傾き角を変化させる観察条件下で、前記第１ホログラム領域において第１回折光を表示する部分が移動するように構成され、前記第２ホログラム領域には、複数の第２凸部又は凹部を含んだレリーフ型の第２回折格子が設けられ、前記第２回折格子において、前記複数の第２凸部又は凹部の配列方向及び中心間距離の少なくとも一方は、長さ３ｍｍ当たり３以上の段階で変化しており、長さ３ｍｍ当たりの前記複数の第２凸部又は凹部の配列方向の変化は１０°乃至４５°の範囲内にあるか、又は、長さ３ｍｍ当たりの前記複数の第２凸部又は凹部の中心間距離の変化は１００ｎｍ乃至４００ｎｍの範囲内にあり、前記第２回折格子は、前記観察条件下で、前記第２ホログラム領域において、第２回折光を表示する部分が、前記第１ホログラム領域において前記第１回折光を表示する部分が移動する方向とは逆方向へ移動するように構成された表示体が提供される。
【０００８】
ここで、第１及び第２ホログラム領域が「互いに隣り合った」状態は、第１及び第２ホログラム領域が互いに接している状態と、第１及び第２ホログラム領域が互いから離間した状態とを含意している。
【０００９】
この表示体を上記観察条件下で観察した場合、第１回折光を表示する部分及び第２回折光を表示する部分は滑らかに移動する。また、この表示体を上記観察条件下で観察した場合、傾き角の変化に応じた、第１回折光を表示する部分及び第２回折光を表示する部分の移動距離は、これら部分の動きを同時に認識するうえで十分に大きく、観察者がそれら部分に視線を追従させるうえで十分に小さい。従って、この表示体は、逆方向の動きを同時に表現しながらも、目に過度な疲労を与えることがなく、また、動きを正確に認識可能である。
【００１０】
また、この表示体は、以下に説明する理由により、偽造され難い。  
長さ３ｍｍ当たりの凸部又は凹部の配列方向又は中心間距離の変化が過剰に大きい場合、途中の段階で表示される画像を認識し難い。それ故、この場合、最初の段階で表示される画像と最後の段階で表示される画像とに基づいて、真正品が表示する画像との違いが分かり難い画像を表示する偽造品を製造することが可能となる。そのような偽造品は、詳細な分析をしない限り、偽造品であることを確認できない可能性がある。
【００１１】
上記の表示体では、長さ３ｍｍ当たりの凸部又は凹部の配列方向又は中心間距離の変化が適度である。それ故、この表示体が表示する画像は、上記の方法で製造した偽造品が表示する画像から容易に区別をすることができる。即ち、この表示体は、上記の方法で製造した偽造品から容易に区別をすることができる。
【００１２】
しかも、この表示体では、第１及び第２回折格子は、第１ホログラム領域において第１回折光を表示する部分が移動する方向と第２ホログラム領域において第２回折光を表示する部分が移動する方向とが逆方向になるように構成されている。このような画像を表示する表示体は、その表示画像から構造を特定することは困難である。  
従って、この表示体は偽造され難い。
【００１３】
本発明の他の側面によると、前記第１及び第２ホログラム領域は、短軸の長さが３ｃｍであり、長軸の長さが５ｃｍである楕円によって囲まれた範囲内で配列している上記側面に係る表示体が提供される。
【００１４】
人間の目については、視野のうち視力などの視機能が優れている中心領域（以下、弁別視野という）は、視野角が約５°以内の範囲に相当していると言われている。商品券等に貼り付けたホログラムが表示する画像は、一般的には、目をホログラムから約２０ｃｍ乃至約３０ｃｍ離して観察する。この距離が約２０ｃｍであるとすると、弁別視野は、直径が約２ｃｍ弱の円形領域となる。また、この距離が約３０ｃｍであるとすると、弁別視野は、直径が約３ｃｍ弱の円形領域となる。人間の視界は横長である。それ故、ホログラムの光学効果を高い視機能で視認できる範囲は、好ましくは、短軸の長さが３ｃｍであり、長軸の長さが５ｃｍである楕円によって囲まれた範囲内、より好ましくは、直径が３ｃｍの円によって囲まれた範囲内、更に好ましくは、短軸の長さが２ｃｍであり、長軸の長さが３ｃｍである楕円によって囲まれた範囲内、最も好ましくは、直径が２ｃｍの円によって囲まれた範囲内である。
【００１５】
この表示体では、上記のように狭い範囲内で第１及び第２ホログラム領域が配列しているため、それらが表現する逆方向の動きを同時に視認することが容易である。これとは逆に、第１及び第２ホログラム領域の互いからの距離が大きい場合、それらが表現する逆方向の動きを同時に視認することは困難である。なお、第１及び第２ホログラム領域が表現する逆方向の動きを同時に視認するには、焦点の位置を一定にしたまま、表示体をその主面に垂直な軸の周りで回転させるか、又は、焦点の位置を一定に維持しつつ、表示体の主面が両目を結ぶ線に対して平行な状態に維持されるように表示体を傾ければよい。
【００１６】
本発明の更に他の側面によると、前記第１ホログラム領域は、３以上の第１サブ領域を含み、前記３以上の第１サブ領域の各々において、前記複数の第１凸部又は凹部の配列方向及び中心間距離は一定であり、前記３以上の第１サブ領域は、前記複数の第１凸部又は凹部の配列方向及び中心間距離の少なくとも一方が異なっており、前記第２ホログラム領域は、３以上の第２サブ領域を含み、前記３以上の第２サブ領域の各々において、前記複数の第２凸部又は凹部の配列方向及び中心間距離は一定であり、前記３以上の第２サブ領域は、前記複数の第２凸部又は凹部の配列方向及び中心間距離の少なくとも一方が異なっている上記側面の何れかに係る表示体が提供される。
【００１７】
この表示体では、例えば、第１回折格子は、第１ホログラム領域において第１回折光を表示する部分が第１サブ領域の配列方向に沿って移動するように構成され、第２回折格子は、第２ホログラム領域において第２回折光を表示する部分が第２サブ領域の配列方向に沿って移動するように構成される。第１及び第２ホログラム領域をそれぞれ第１及び第２サブ領域で構成した場合、それらの設計が容易である。
【００１８】
本発明の更に他の側面によると、前記３以上の第１サブ領域は入れ子状に配列しており、前記３以上の第２サブ領域は入れ子状に配列している上記側面に係る表示体が提供される。
【００１９】
この表示体では、例えば、第１ホログラム領域において第１回折光を表示する部分は内側から外側へ移動し、第２ホログラム領域において第２回折光を表示する部分は外側から内側へ移動する。或いは、第１ホログラム領域において第１回折光を表示する部分は外側から内側へ移動し、第２ホログラム領域において第２回折光を表示する部分は内側から外側へ移動する。このように、この表示体では、第１及び第２ホログラム領域の組み合わせは、目立った変化をする画像を表示する。
【００２０】
また、目の疲労が激しく、また、動きを正確に認識できないという問題は、上記の変化をする画像を観察した場合に特に生じ易い。従って、この表示体では、目に過度な疲労を与えることがなく、また、動きを正確に認識可能とするという効果の意義が特に大きい。
【００２１】
なお、３以上の第１サブ領域は、同心であってもよく、偏心していてもよい。また、３以上の第２サブ領域も、同心であってもよく、偏心していてもよい。
【００２２】
或いは、本発明の更に他の側面によると、前記３以上の第１サブ領域は一列に配列しており、前記３以上の第２サブ領域は一列に配列している上記側面に係る表示体が提供される。
【００２３】
この表示体では、例えば、第１ホログラム領域において第１回折光を表示する部分と、第２ホログラム領域において第２回折光を表示する部分とは、例えば、直線的に且つ逆方向へ移動する。従って、この表示体でも、第１及び第２ホログラム領域の組み合わせは、目立った変化をする画像を表示する。
【００２４】
なお、「一列に配列」は、直線状の配列だけでなく、円弧状などの曲線状の配列も含意している。
【００２５】
或いは、本発明の更に他の側面によると、前記３以上の第１サブ領域の配列方向と、前記３以上の第２サブ領域の配列方向とは、前記第１及び第２ホログラム領域の配列方向と等しい上記側面に係る表示体が提供される。
【００２６】
この表示体では、例えば、第１ホログラム領域において第１回折光を表示する部分と、第２ホログラム領域において第２回折光を表示する部分とは、互いに対して近づくように移動する。或いは、この表示体では、例えば、第１ホログラム領域において第１回折光を表示する部分と、第２ホログラム領域において第２回折光を表示する部分とは、互いから遠ざかるように移動する。このように、この表示体でも、第１及び第２ホログラム領域の組み合わせは、目立った変化をする画像を表示する。
【００２７】
或いは、本発明の更に他の側面によると、前記３以上の第１サブ領域は第１方向に配列し、前記３以上の第２サブ領域は前記第１方向に配列し、前記第１及び第２ホログラム領域は、前記第１方向と交差する第２方向に配列している上記側面に係る表示体が提供される。
【００２８】
この表示体では、第１ホログラム領域において第１回折光を表示する部分が移動する方向と、第２ホログラム領域において第２回折光を表示する部分が移動する方向とが逆方向であることが分かり易い。即ち、この表示体でも、第１及び第２ホログラム領域の組み合わせは、目立った変化をする画像を表示する。
【００２９】
本発明の更に他の側面によると、前記３以上の第１サブ領域のうち、１つを間に挟んで隣り合った２つの距離は、１０μｍ乃至２０μｍの範囲内にあり、前記３以上の第２サブ領域のうち、１つを間に挟んで隣り合った２つの距離は、１０μｍ乃至２０μｍの範囲内にある上記側面の何れかに係る表示体が提供される。
【００３０】
この構造は、第１ホログラム領域において第１回折光を表示する部分及び第２ホログラム領域において第２回折光を表示する部分の移動を、滑らか且つ連続したものとするうえで特に適している。
【００３１】
或いは、本発明の更に他の側面によると、前記３以上の第１サブ領域のうち、１つを間に挟んで隣り合った２つの距離は、０．１ｍｍ乃至１５ｍｍの範囲内にあり、前記３以上の第２サブ領域のうち、１つを間に挟んで隣り合った２つの距離は、０．１ｍｍ乃至１５ｍｍの範囲内にある上記側面の何れかに係る表示体が提供される。
【００３２】
この構造は、第１ホログラム領域において第１回折光を表示する部分及び第２ホログラム領域において第２回折光を表示する部分の移動を、段階的なものとするうえで適している。
【００３３】
本発明の更に他の側面によると、前記３以上の第１サブ領域は、それぞれ、前記３以上の第２サブ領域と等しい形状を有している上記側面の何れかに係る表示体が提供される。
【００３４】
この表示体では、３以上の第１サブ領域と３以上の第２サブ領域とが異なる形状を有していることに起因して、第１ホログラム領域において第１回折光を表示する部分が移動する方向と、第２ホログラム領域において第２回折光を表示する部分が移動する方向とが逆方向であることへの認識が妨げられることがない。
【００３５】
本発明の更に他の側面によると、前記第１回折格子は、前記観察条件において、前記傾き角と前記第１回折光を表示する部分の移動距離とが非線形的な第１関係になるように構成され、前記第２回折格子は、前記観察条件において、前記傾き角と前記第２回折光を表示する部分の移動距離とが非線形的な第２関係になるように構成された上記側面の何れかに係る表示体が提供される。
【００３６】
ここで、「前記傾き角と前記第１回折光を表示する部分の移動距離とが非線形的な第１関係」にあるという特徴は、例えば、複数の第１凸部又は凹部の配列方向の単位長さ当たりの変化が、第１回折光を表示する部分の移動方向に沿って変動している構造、複数の第１凸部又は凹部の中心間距離の単位長さ当たりの変化が、第１回折光を表示する部分の移動方向に沿って変動している構造、第１回折光を表示する部分の移動方向における第１サブ領域の寸法が、第１サブ領域間で異なっている構造、又は、それらの組み合わせによって達成される。
【００３７】
また、「前記傾き角と前記第２回折光を表示する部分の移動距離とが非線形的な第２関係」にあるという特徴は、例えば、複数の第２凸部又は凹部の配列方向の単位長さ当たりの変化が、第２回折光を表示する部分の移動方向に沿って変動している構造、複数の第２凸部又は凹部の中心間距離の単位長さ当たりの変化が、第２回折光を表示する部分の移動方向に沿って変動している構造、第２回折光を表示する部分の移動方向における第２サブ領域の寸法が、第２サブ領域間で異なっている構造、又は、それらの組み合わせによって達成される。
【００３８】
この表示体では、上記の傾き角を一定の速度で変化させた場合に、第１ホログラム領域において第１回折光を表示する部分及び第２ホログラム領域において第２回折光を表示する部分は、一定の速度で移動せずに、加速、減速又は加減速する。このように、この表示体でも、第１及び第２ホログラム領域の組み合わせは、目立った変化をする画像を表示する。
【００３９】
本発明の更に他の側面によると、前記第１及び第２関係は互いに等しい上記側面に係る表示体が提供される。
【００４０】
この表示体では、第１及び第２関係が互いに異なることに起因して、第１ホログラム領域において第１回折光を表示する部分及び第２ホログラム領域において第２回折光を表示する部分の加減速への認識が妨げられることがない。
【００４１】
或いは、本発明の更に他の側面によると、前記第１及び第２関係は互いに異なる上記側面に係る表示体が提供される。
【００４２】
この表示体では、第１及び第２関係の相違が、観察者に特別な印象を与える。即ち、この表示体でも、第１及び第２ホログラム領域の組み合わせは、目立った変化をする画像を表示する。
【００４３】
本発明の更に他の側面によると、前記第１及び第２ホログラム領域を各々が含んだ複数の表示領域を含んだ上記側面の何れかに係る表示体が提供される。
【００４４】
この表示体では、複数の表示領域の組み合わせは、目立った変化をする画像を表示し得る。
【００４５】
本発明の更に他の側面によると、前記複数の表示領域の一方が含んでいる前記第１及び第２ホログラム領域は、それぞれ、前記複数の表示領域の他方が含んでいる前記第２及び第１ホログラム領域と等しい形状を有している上記側面に係る表示体が提供される。
【００４６】
この表示体では、例えば、複数の表示領域の１つが表示する画像の変化と複数の表示領域の他の１つが表示する画像の変化との相違を認識し易い。
【００４７】
本発明の更に他の側面によると、前記第１及び第２ホログラム領域は同じ形状を有している上記側面の何れかに係る表示体が提供される。
【００４８】
この表示体では、第１及び第２ホログラム領域が異なる形状を有していることに起因して、第１ホログラム領域において第１回折光を表示する部分が移動する方向と、第２ホログラム領域において第２回折光を表示する部分が移動する方向とが逆方向であることへの認識が妨げられることがない。
【００４９】
本発明の更に他の側面によると、前記第１及び第２ホログラム領域は１以上の文字に対応した形状を有している上記側面の何れかに係る表示体が提供される。
【００５０】
文字は、情報を表示するために利用される。それ故、観察者は、多くの場合、図形と比較して、文字をより注意深く観察する。従って、第１及び第２ホログラム領域の組み合わせが奏する上記効果は、それらで１以上の文字を表示させた場合に特に顕著である。
【００５１】
或いは、本発明の更に他の側面によると、前記第１及び第２ホログラム領域は図形に対応した形状を有している上記側面の何れかに係る表示体が提供される。  
図形の形状は、特に限定されず、例えば、円形、楕円形、三乃至六角形等の多角形、及びの１以上である。
【００５２】
本発明の更に他の側面によると、前記第１ホログラム領域の輪郭と、前記第１ホログラム領域において前記第１回折光を表示する前記部分の輪郭とは相似形の関係にある上記側面の何れかに係る表示体が提供される。
【００５３】
或いは、本発明の更に他の側面によると、前記第１ホログラム領域の輪郭と、前記第１ホログラム領域において前記第１回折光を表示する前記部分の輪郭とは相似形の関係にない上記側面の何れかに係る表示体が提供される。
【００５４】
本発明の更に他の側面によると、前記第２ホログラム領域の輪郭と、前記第２ホログラム領域において前記第２回折光を表示する前記部分の輪郭とは相似形の関係にある上記側面の何れかに係る表示体が提供される。
【００５５】
或いは、本発明の更に他の側面によると、前記第２ホログラム領域の輪郭と、前記第２ホログラム領域において前記第２回折光を表示する前記部分の輪郭とは相似形の関係にない上記側面の何れかに係る表示体が提供される。
【００５６】
本発明の更に他の側面によると、前記第１及び第２ホログラム領域は互いから離間し、それらの距離は、５ｃｍ以下、好ましくは１０ｍｍ以下であり、より好ましくは３ｍｍ以下である上記側面の何れかに係る表示体が提供される。
【００５７】
本発明の更に他の側面によると、前記第１回折格子において、前記複数の第１凸部又は凹部は、一方向に各々が延び、他の方向に配列した複数の稜又は溝である上記側面の何れかに係る表示体が提供される。
【００５８】
或いは、本発明の更に他の側面によると、前記第１回折格子において、前記複数の第１凸部又は凹部は、二方向に配列してクロスグレーティングを構成している上記側面の何れかに係る表示体が提供される。
【００５９】
本発明の更に他の側面によると、前記第２回折格子において、前記複数の第２凸部又は凹部は、一方向に各々が延び、他の方向に配列した複数の稜又は溝である上記側面の何れかに係る表示体が提供される。
【００６０】
或いは、本発明の更に他の側面によると、前記第２回折格子において、前記複数の第２凸部又は凹部は、二方向に配列してクロスグレーティングを構成している上記側面の何れかに係る表示体が提供される。
【００６１】
一例によれば、前記第１回折格子において、前記複数の第１凸部又は凹部は、一方向に各々が延び、他の方向に配列した複数の稜又は溝であり、前記第２回折格子において、前記複数の第２凸部又は凹部は、一方向に各々が延び、他の方向に配列した複数の稜又は溝である。他の例によれば、前記第１回折格子において、前記複数の第１凸部又は凹部は、二方向に配列してクロスグレーティングを構成し、前記第２回折格子において、前記複数の第２凸部又は凹部は、二方向に配列してクロスグレーティングを構成している。
【００６２】
本発明の更に他の側面によると、前記複数の第１凸部又は凹部の中心間距離（ピッチ）は、５００ｎｍ乃至１８００ｎｍの範囲内に、好ましくは６００ｎｍ乃至１５５０ｎｍの範囲内にあり、前記複数の第２凸部又は凹部の中心間距離（ピッチ）は、５００ｎｍ乃至１８００ｎｍの範囲内に、好ましくは６００ｎｍ乃至１５５０ｎｍの範囲内にある上記側面の何れかに係る表示体が提供される。
【００６３】
本発明の更に他の側面によると、表面にレリーフ構造を有するレリーフ構造形成層と、前記表面を被覆した反射層とを具備し、前記第１及び第２ホログラム領域は、前記反射層の表面又は前記レリーフ構造形成層と前記反射層との界面に設けられた上記側面の何れかに係る表示体が提供される。
【００６４】
レリーフ構造形成層の材料としては、例えば、熱可塑性樹脂、熱硬化性樹脂、又は紫外線若しくは電子線硬化性樹脂を使用する。熱可塑性樹脂としては、例えば、アクリル樹脂、エポキシ樹脂、セルロース樹脂又はビニル樹脂を使用する。熱硬化性樹脂としては、例えば、反応性水酸基を有するアクリルポリオール若しくはポリエステルポリオールにポリイソシアネートを架橋剤として添加して架橋させたウレタン樹脂、メラミン樹脂又はフェノール樹脂を使用する。紫外線又は電子線硬化性樹脂としては、例えば、エポキシアクリル、エポキシメタクリル、ウレタンアクリレート又はウレタンメタクリレートを使用する。
【００６５】
レリーフ構造形成層は、例えば、以下の方法より形成することができる。例えば、熱可塑性樹脂層に、レリーフ構造が設けられた原版を、熱を印加しながら押し当て、その後、熱可塑性樹脂層から原版を取り除く。或いは、紫外線硬化性樹脂からなる塗膜を形成し、これに原版を押し当てながら紫外線を照射して紫外線硬化性樹脂を硬化させ、その後、塗膜から原版を取り除く。或いは、熱硬化性樹脂からなる塗膜を形成し、これに原版を押し当てながら加熱して熱硬化性樹脂を硬化させ、その後、塗膜から原版を取り除く。
【００６６】
光反射層としては、例えば、アルミニウム、銀、金、及びそれらの合金などの金属材料からなる金属層を使用することができる。或いは、反射層として、レリーフ構造形成層とは屈折率が異なる誘電体層を使用してもよい。或いは、光反射層として、隣り合うもの同士の屈折率が異なる誘電体層の積層体、即ち、誘電体多層膜を使用してもよい。なお、誘電体多層膜が含む誘電体層のうち、レリーフ構造形成層と接触しているものの屈折率は、レリーフ構造形成層の屈折率とは異なっていることが望ましい。反射層は、例えば、真空蒸着法及びスパッタリング法などの気相堆積法により形成することができる。
【００６７】
表示体には、例えば、上記の構造を採用することができる。なお、反射層は省略することができる。この場合、第１及び第２ホログラム領域は、レリーフ構造形成層の上記表面に設けられる。
【００６８】
本発明の更に他の側面によると、印刷層を更に含んだ上記側面の何れかに係る表示体が提供される。
【００６９】
本発明の更に他の側面によると、前記印刷層は、前記第１及び第２ホログラム領域の少なくとも一方と部分的に重なり合うように設けられた上記側面に係る表示体が提供される。
【００７０】
この場合、印刷層には、例えば、有色のインキを使用する。印刷層の色に特に制限はないが、印刷層の少なくとも一部は、これと重なり合った第１又は第２ホログラム領域が表示する第１又は第２回折光とほぼ同じ色であってもよい。この場合、上記の観察条件下では、第１又は第２ホログラム領域が第１又は第２回折光を表示する部分は移動するのに対し、印刷層がこれと同じ色を表示する部分は移動しない。即ち、この場合、より複雑な表示が可能である。
【００７１】
或いは、この場合、印刷層の少なくとも一部には、第１又は第２ホログラム領域とほぼ同様の色変化をするカラーシフトインキを用いてもよい。印刷層のうち、第１ホログラム領域と部分的に重なり合った部分に、第１ホログラム領域とほぼ同様の色変化をするカラーシフトインキを使用すると、印刷層が第１ホログラム領域と重なり合った部分を含んでいることを悟られ難い。同様に、印刷層のうち、第２ホログラム領域と部分的に重なり合った部分に、第２ホログラム領域とほぼ同様の色変化をするカラーシフトインキを使用すると、印刷層が第２ホログラム領域と重なり合った部分を含んでいることを悟られ難い。従って、そのような印刷層を設けると、印刷層の有無を確認することにより、真正品と偽造品とを判別することができる。
【００７２】
本発明の更に他の側面によると、レリーフ構造が設けられていない領域、並びに、前記第１ホログラム領域ＨＲ１及び前記第２ホログラム領域ＨＲ２とは異なるレリーフ構造が設けられた領域の少なくとも一方を更に含んだ上記側面の何れかに係る表示体が提供される。
【００７３】
本発明の更に他の側面によると、前記第１ホログラム領域と前記第２ホログラム領域とは、前記表示体を観察した観察者が、部分的に重なり合った図形を認識するように画像を表示する上記側面の何れかに係る表示体が提供される。
【００７４】
この表示体では、第１ホログラム領域と第２ホログラム領域とは、表示体を観察した観察者が、部分的に重なり合った図形を認識するように画像を表示する。それ故、観察者は逆方向の動きを認識し易い。
【００７５】
なお、この表示体では、「部分的に重なり合った図形」に代えて、「部分的に重なり合った文字」又は「部分的に重なり合った図形及び文字」としてもよい。
【００７６】
本発明の更に他の側面によると、前記第１ホログラム領域の一部と前記第２ホログラム領域の一部とは重なり合った上記側面の何れかに係る表示体が提供される。
【００７７】
この表示体では、第１ホログラム領域と第２ホログラム領域とは、表示体を観察した観察者が、部分的に重なり合った図形等を認識するように画像を表示する。それ故、観察者は逆方向の動きを認識し易い。
【００７８】
更に、この表示体では、第１ホログラム領域と第２ホログラム領域とは部分的に重なり合っている。この重複領域は、第１ホログラム領域による画像の表示と、第２ホログラム領域による画像の表示との双方に関与する。このような構造は、偽像が困難である。それ故、この表示体は、更に偽造され難い。
【００７９】
本発明の更に他の側面によると、前記第１ホログラム領域及び前記第２ホログラム領域は、複数の画素を、互いに交差する２つの方向へ規則的に配列させた構造を有し、前記複数の画素は、前記第１ホログラム領域において配列した複数の第１画素と、前記第２ホログラム領域において配列した複数の第２画素とを含んだ上記側面の何れかに係る表示体が提供される。  
この構造を採用すると、複雑な画像を表示する表示体を容易に設計できる。
【００８０】
本発明の更に他の側面によると、上記側面の何れかに係る表示体を含んだ転写材層と、前記転写材層を剥離可能に支持した支持体とを具備した転写箔が提供される。
【００８１】
なお、一例によれば、転写材層は、互いに隣接した転写部及び非転写部を含んでいる。転写部は、転写材層のうち、物品へ転写される部分であって、上記の表示体を含んでいる。非転写部は、転写材層のうち、物品へ転写されずに残留する部分である。非転写部は、転写部と同様の層構成を有している。
【００８２】
支持体は、例えば樹脂フィルム又はシートである。支持体は、例えば、ポリエチレンテレフタレートなどの耐熱性に優れた材料からなる。支持体の転写材層を支持している主面には、例えばフッ素樹脂又はシリコーン樹脂を含んだ離型層が設けられていてもよい。
【００８３】
本発明の更に他の側面によると、前記転写材層は、前記表示体と前記支持体との間に介在した剥離保護層を更に含んだ上記側面に係る転写箔が提供される。  
剥離保護層は、転写部の支持体からの剥離を容易にするとともに、剥離した転写部、即ち、表示体の表面を損傷及び劣化から保護する役割を果たす。剥離保護層は、例えば、光透過性を有している。剥離保護層は、例えば樹脂からなる。
【００８４】
本発明の更に他の側面によると、前記転写材層を被覆した接着層を更に具備した転写箔が提供される。  
接着層は、例えば熱可塑性樹脂からなる。
【００８５】
本発明の更に他の側面によると、上記側面の何れかに係る表示体と、前記表示体の一方の主面に設けられた粘着層とを具備した粘着ラベルが提供される。
【００８６】
粘着層は、感圧接着剤などの粘着剤からなる。粘着剤としては、例えば、塩化ビニル−酢酸ビニル共重合体、ポリエステル系ポリアミド、又は、アクリル系、ブチルゴム系、天然ゴム系、シリコーン系若しくはポリイソブチル系粘着剤を使用する。
【００８７】
粘着剤は、添加剤を更に含んでいてもよい。添加剤としては、例えば、アルキルメタクリレート、ビニルエステル、アクリルニトリル、スチレン及びビニルモノマーなどの凝集成分；不飽和カルボン酸、ヒドロキシ基含有モノマー及びアクリルニトリルなどの改質成分；重合開始剤；可塑剤；硬化剤；硬化促進剤；酸化防止；又はそれらの２つ以上を含んだ混合物を使用する。
【００８８】
本発明の更に他の側面によると、上記側面の何れかに係る表示体と、前記表示体を支持した物品とを具備したラベル付き物品が提供される。
【００８９】
物品は、どのような方法で表示体を支持していてもよい。例えば、表示体は、物品の表面に貼り付けられていてもよく、物品内に埋め込まれていてもよい。
【００９０】
本発明の更に他の側面によると、前記物品は、プラスチック、金属、紙、又はそれらの複合体から上記側面に係るラベル付き物品が提供される。
【００９１】
本発明の更に他の側面によると、前記物品は紙を含み、前記表示体は前記紙に漉き込まれ、前記紙は前記表示体の位置で開口している上記側面の何れかに係るラベル付き物品が提供される。
【００９２】
本発明の更に他の側面によると、前記ラベル付き物品は、紙幣、有価証券、証明書類、クレジットカード、パスポート及びＩＤ（identification）カードなどの個人認証媒体、内容物を包装した包装体である上記側面の何れかに係るラベル付き物品が提供される。
【図面の簡単な説明】
【００９３】
【図１】本発明の第１実施形態に係る表示体を概略的に示す平面図。
【図２】図１に示す表示体のＩＩ−ＩＩ線に沿った断面図。
【図３】図１の表示体が含んでいる第１ホログラム領域の中央部を拡大して示す平面図。
【図４】図１の表示体が含んでいる第１ホログラム領域の周縁部を拡大して示す平面図。
【図５】図１の表示体が含んでいる第２ホログラム領域の中央部を拡大して示す平面図。
【図６】図１の表示体が含んでいる第２ホログラム領域の周縁部を拡大して示す平面図。
【図７】図１の表示体において、第１ホログラム領域の中央部に採用可能な構造の他の例を概略的に示す平面図。
【図８】図１の表示体において、第１ホログラム領域の周縁部に採用可能な構造の他の例を概略的に示す平面図。
【図９】図１の表示体において、第２ホログラム領域の中央部に採用可能な構造の他の例を概略的に示す平面図。
【図１０】図１の表示体において、第２ホログラム領域の周縁部に採用可能な構造の他の例を概略的に示す平面図。
【図１１】図１の表示体が或る条件下で画像を表示している様子を概略的に示す平面図。
【図１２】図１の表示体が他の条件下で画像を表示している様子を概略的に示す平面図。
【図１３】本発明の第２実施形態に係る表示体が或る条件下で画像を表示している様子を概略的に示す平面図。
【図１４】図１３の表示体が他の条件下で画像を表示している様子を概略的に示す平面図。
【図１５】本発明の第３実施形態に係る表示体が或る条件下で画像を表示している様子を概略的に示す平面図。
【図１６】図１５の表示体が他の条件下で画像を表示している様子を概略的に示す平面図。
【図１７】本発明の第４実施形態に係る表示体が或る条件下で画像を表示している様子を概略的に示す平面図。
【図１８】図１７の表示体が他の条件下で画像を表示している様子を概略的に示す平面図。
【図１９】本発明の第５実施形態に係る表示体が或る条件下で画像を表示している様子を概略的に示す平面図。
【図２０】本発明の第６実施形態に係る表示体が或る条件下で画像を表示している様子を概略的に示す平面図。
【図２１】本発明の第７実施形態に係る表示体が或る条件下で画像を表示している様子を概略的に示す平面図。
【図２２】本発明の第８実施形態に係る表示体が或る条件下で画像を表示している様子を概略的に示す平面図。
【図２３】本発明の第９実施形態に係る表示体が或る条件下で画像を表示している様子を概略的に示す平面図。
【図２４】本発明の第１０実施形態に係る表示体が或る条件下で画像を表示している様子を概略的に示す平面図。
【図２５】本発明の第１１実施形態に係る表示体が或る条件下で画像を表示している様子を概略的に示す平面図。
【図２６】本発明の第１２実施形態に係る表示体が或る条件下で画像を表示している様子を概略的に示す平面図。
【図２７】本発明の第１３実施形態に係る表示体が或る条件下で画像を表示している様子を概略的に示す平面図。
【図２８】本発明の第１４実施形態に係る表示体が或る条件下で画像を表示している様子を概略的に示す平面図。
【図２９】本発明の第１５実施形態に係る表示体が或る条件下で画像を表示している様子を概略的に示す平面図。
【図３０】本発明の第１６実施形態に係る表示体が或る条件下で画像を表示している様子を概略的に示す平面図。
【図３１】本発明の第１７実施形態に係る表示体を概略的に示す平面図。
【図３２】本発明の第１８実施形態に係る表示体を概略的に示す平面図。
【図３３】図３２に示す表示体の一部を拡大して示す平面図。
【図３４】本発明の一実施形態に係る転写箔を概略的に示す断面図。
【図３５】本発明の一実施形態に係る粘着ラベルを概略的に示す断面図。
【図３６】本発明の一実施形態に係るラベル付き物品を概略的に示す平面図。
【発明を実施するための形態】
【００９４】
以下に、本発明の実施形態について、図面を参照しながら説明する。なお、同様又は類似した機能を有する要素については、同一の参照符号を付し、重複する説明は省略する。
【００９５】
図１は、本発明の第１実施形態に係る表示体を概略的に示す平面図である。図２は、図１に示す表示体のＩＩ−ＩＩ線に沿った断面図である。図３は、図１の表示体が含んでいる第１ホログラム領域の中央部を拡大して示す平面図である。図４は、図１の表示体が含んでいる第１ホログラム領域の周縁部を拡大して示す平面図である。図５は、図１の表示体が含んでいる第２ホログラム領域の中央部を拡大して示す平面図である。図６は、図１の表示体が含んでいる第２ホログラム領域の周縁部を拡大して示す平面図である。
【００９６】
図１及び図２に示す表示体１は、図２に示すように、レリーフ構造形成層１１と反射層１２とを含んでいる。この表示体１は、レリーフ構造形成層１１側が観察者と向き合う前面であり、反射層１２側が背面であってもよい。或いは、この表示体１は、反射層１２側が観察者と向き合う前面であり、レリーフ構造形成層１１側が背面であってもよい。
【００９７】
この表示体１は、図１に示すように、第１ホログラム領域ＨＲ１及び第２ホログラム領域ＨＲ２を含んでいる。第１ホログラム領域ＨＲ１及び第２ホログラム領域ＨＲ２の各々の形状は、四角形である。第１ホログラム領域ＨＲ１及び第２ホログラム領域ＨＲ２は互いに隣り合っている。
【００９８】
第１ホログラム領域ＨＲ１及び第２ホログラム領域ＨＲ２は、楕円Ｆによって囲まれた範囲内で配列している。ここでは、第１ホログラム領域ＨＲ１及び第２ホログラム領域ＨＲ２は、Ｘ方向に配列している。なお、楕円Ｆは、弁別視野に相当する。また、Ｙ方向は、Ｘ方向に対して垂直な方向である。
【００９９】
第１ホログラム領域ＨＲ１及び第２ホログラム領域ＨＲ２の各々には、図２に示すレリーフ型の回折格子ＤＧが設けられている。具体的には、レリーフ構造形成層１１の一方の主面にレリーフ構造が設けられており、レリーフ構造形成層１１と反射層１２との界面又は反射層１２の表面がレリーフ型の回折格子ＤＧを構成している。
【０１００】
回折格子ＤＧは、規則的に配列した複数の凸部又は凹部ＰＲを含んでいる。ここでは、凸部又は凹部ＰＲは、図３乃至図６に示すように、長さ方向と交差する方向に配列した直線状の溝又は稜である。
【０１０１】
第１ホログラム領域ＨＲ１では、その全域で、回折格子ＤＧを構成している凸部又は凹部ＰＲ、即ち、第１凸部又は凹部の中心間距離（ピッチ）は一定である。
【０１０２】
凸部又は凹部ＰＲの長さ方向は、第１ホログラム領域ＨＲ１の中央部Ｐ１１では、図３に示すようにＸ方向に対して平行である。また、第１ホログラム領域ＨＲ１において、その中央部Ｐ１１から離れた位置では、凸部又は凹部ＰＲの長さ方向は、Ｘ方向に対して反時計回りに傾いている。この傾き角は、中央部Ｐ１１からの距離に応じて徐々に大きくなっている。
【０１０３】
具体的には、第１凸部又は凹部ＰＲの配列方向は、長さ３ｍｍ当たり３以上の段階で変化しており、長さ３ｍｍ当たりの第１凸部又は凹部ＰＲの配列方向の変化は１０°乃至４５°の範囲内にある。また、周縁部Ｐ１２では、図４に示すように、凸部又は凹部ＰＲの長さ方向は、Ｘ向に対して反時計回りに約４５°傾いている。
【０１０４】
第２ホログラム領域ＨＲ２では、その全域で、回折格子ＤＧを構成している凸部又は凹部ＰＲ、即ち、第２凸部又は凹部の中心間距離（ピッチ）は一定である。第１凸部又は凹部の中心間距離と第２凸部又は凹部の中心間距離とは、異なっていてもよい。ここでは、一例として、第１凸部又は凹部と第２凸部又は凹部とは、同じ中心間距離で配列していることとする。
【０１０５】
凸部又は凹部ＰＲの長さ方向は、第２ホログラム領域ＨＲ２の中央部Ｐ２１では、図５に示すように、Ｘ方向に対して反時計回りに約４５°傾いている。そして、第２ホログラム領域ＨＲ２では、この傾き角は、中央部Ｐ２１からの距離に応じて徐々に小さくなっている。
【０１０６】
具体的には、第２凸部又は凹部ＰＲの配列方向は、長さ３ｍｍ当たり３以上の段階で変化しており、長さ３ｍｍ当たりの第２凸部又は凹部ＰＲの配列方向の変化は１０°乃至４５°の範囲内にある。また、周縁部Ｐ２２では、図６に示すように、凸部又は凹部ＰＲの長さ方向は、Ｘ向に対して平行である。
【０１０７】
第１ホログラム領域ＨＲ１及び第２ホログラム領域ＨＲ２には、他の構造を採用することも可能である。
【０１０８】
図７は、図１の表示体において、第１ホログラム領域の中央部に採用可能な構造の他の例を概略的に示す平面図である。図８は、図１の表示体において、第１ホログラム領域の周縁部に採用可能な構造の他の例を概略的に示す平面図である。図９は、図１の表示体において、第２ホログラム領域の中央部に採用可能な構造の他の例を概略的に示す平面図である。図１０は、図１の表示体において、第２ホログラム領域の周縁部に採用可能な構造の他の例を概略的に示す平面図である。
【０１０９】
図７乃至図１０に示す例では、第１ホログラム領域ＨＲ１及び第２ホログラム領域ＨＲ２の全域で、凸部又は凹部ＰＲの長さ方向は、Ｘ方向に対して平行である。但し、凸部又は凹部ＰＲの中心間距離（ピッチ）は、第１ホログラム領域ＨＲ１では、図７及び図８に示すように、中央部Ｐ１１からの距離に応じて徐々に小さくなっている。そして、第２ホログラム領域ＨＲ２では、凸部又は凹部ＰＲの中心間距離（ピッチ）は、図９及び図１０に示すように、中央部Ｐ２１からの距離に応じて徐々に大きくなっている。
【０１１０】
具体的には、第１凸部又は凹部ＰＲの中心間距離（ピッチ）は、長さ３ｍｍ当たり３以上の段階で変化しており、長さ３ｍｍ当たりの第１凸部又は凹部ＰＲの中心間距離（ピッチ）の変化は１００ｎｍ乃至４００ｎｍの範囲内にある。また、第２凸部又は凹部ＰＲの中心間距離（ピッチ）は、長さ３ｍｍ当たり３以上の段階で変化しており、長さ３ｍｍ当たりの第２凸部又は凹部ＰＲの中心間距離（ピッチ）の変化は１００ｎｍ乃至４００ｎｍの範囲内にある。そして、第１ホログラム領域ＨＲ１の中央部Ｐ１１における凸部又は凹部ＰＲの中心間距離（ピッチ）は、第２ホログラム領域ＨＲ２の周縁部Ｐ２２における凸部又は凹部ＰＲの中心間距離（ピッチ）と等しく、第１ホログラム領域ＨＲ１の周縁部Ｐ１２における凸部又は凹部ＰＲの中心間距離（ピッチ）は、第２ホログラム領域ＨＲ２の中央部Ｐ２１における凸部又は凹部ＰＲの中心間距離（ピッチ）と等しい。
【０１１１】
次に、上述した表示体１が表示する画像について説明する。  
図１１は、図１の表示体が或る条件下で画像を表示している様子を概略的に示す平面図である。図１２は、図１の表示体が他の条件下で画像を表示している様子を概略的に示す平面図である。
【０１１２】
表示体１に対する照明方向及び表示体１の観察方向を一定としたまま、表示体１の傾き角を変化させる観察条件を想定する。ここでは、一例として、観察者の両目を結ぶ線とＸ方向とが平行に維持したまま、表示体１を傾けることとする。
【０１１３】
この観察条件下では、第１ホログラム領域ＨＲ１において第１回折光を表示する部分は内側から外側へ滑らかに移動し、第２ホログラム領域ＨＲ２において第２回折光を表示する部分は外側から内側へ滑らかに移動する。例えば、第１ホログラム領域ＨＲ１及び第２ホログラム領域ＨＲ２が表示する画像は、図１１に示す状態から図１２に示す状態へ滑らかに変化する。
【０１１４】
或いは、この観察条件下では、第１ホログラム領域ＨＲ１において第１回折光を表示する部分は外側から内側へ滑らかに移動し、第２ホログラム領域ＨＲ２において第２回折光を表示する部分は内側から外側へ滑らかに移動する。例えば、第１ホログラム領域ＨＲ１及び第２ホログラム領域ＨＲ２が表示する画像は、図１２に示す状態から図１１に示す状態へ滑らかに変化する。
【０１１５】
即ち、第１ホログラム領域ＨＲ１において第１回折光を表示する部分と、第２ホログラム領域ＨＲ２において第２回折光を表示する部分とは、逆方向へ移動する。なお、一例によれば、第１及び第２回折光は互いに等しい。
【０１１６】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１１７】
次に、本発明の第２実施形態について説明する。  
図１３は、本発明の第２実施形態に係る表示体が或る条件下で画像を表示している様子を概略的に示す平面図である。図１４は、図１３の表示体が他の条件下で画像を表示している様子を概略的に示す平面図である。
【０１１８】
図１３及び図１４に示す表示体１は、以下の構成を採用したこと以外は、図１乃至図１２を参照しながら説明した表示体１と同様である。
【０１１９】
即ち、この表示体１では、第１ホログラム領域ＨＲ１において、凸部又は凹部ＰＲの長さ方向の傾き角は図の上方から下方へ向けて徐々に大きくなっているか、又は、凸部又は凹部の中心間距離（ピッチ）は図の上方から下方へ向けて徐々に小さくなっている。また、この表示体１では、第２ホログラム領域ＨＲ２において、凸部又は凹部ＰＲの長さ方向の傾き角は図の上方から下方へ向けて徐々に小さくなっているか、又は、凸部又は凹部の中心間距離（ピッチ）は図の上方から下方へ向けて徐々に大きくなっている。
【０１２０】
この表示体１を上記の観察条件下で観察した場合、第１ホログラム領域ＨＲ１において第１回折光を表示する部分は上方から下方へ滑らかに移動し、第２ホログラム領域ＨＲ２において第２回折光を表示する部分は下方から上方へ滑らかに移動する。例えば、第１ホログラム領域ＨＲ１及び第２ホログラム領域ＨＲ２が表示する画像は、図１３に示す状態から図１４に示す状態へ滑らかに変化する。
【０１２１】
或いは、この観察条件下では、第１ホログラム領域ＨＲ１において第１回折光を表示する部分は下方から上方へ滑らかに移動し、第２ホログラム領域ＨＲ２において第２回折光を表示する部分は上方から下方へ滑らかに移動する。例えば、第１ホログラム領域ＨＲ１及び第２ホログラム領域ＨＲ２が表示する画像は、図１４に示す状態から図１３に示す状態へ滑らかに変化する。
【０１２２】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１２３】
次に、本発明の第３実施形態について説明する。  
図１５は、本発明の第３実施形態に係る表示体が或る条件下で画像を表示している様子を概略的に示す平面図である。図１６は、図１５の表示体が他の条件下で画像を表示している様子を概略的に示す平面図である。
【０１２４】
図１５及び図１６に示す表示体１は、以下の構成を採用したこと以外は、図１乃至図１２を参照しながら説明した表示体１と同様である。
【０１２５】
即ち、この表示体１では、第１ホログラム領域ＨＲ１は円環形であり、第２ホログラム領域ＨＲ２は円形である。第１ホログラム領域ＨＲ１は、第２ホログラム領域ＨＲ２を取り囲んでいる。第１ホログラム領域ＨＲ１は、その内周全体にわたり、第２ホログラム領域ＨＲ２と接している。
【０１２６】
この表示体１を上記の観察条件下で観察した場合、第１ホログラム領域ＨＲ１において第１回折光を表示する部分は内側から外側へ滑らかに移動し、第２ホログラム領域ＨＲ２において第２回折光を表示する部分は外側から内側へ滑らかに移動する。例えば、第１ホログラム領域ＨＲ１及び第２ホログラム領域ＨＲ２が表示する画像は、図１５に示す状態から図１６に示す状態へ滑らかに変化する。
【０１２７】
或いは、この観察条件下では、第１ホログラム領域ＨＲ１において第１回折光を表示する部分は外側から内側へ滑らかに移動し、第２ホログラム領域ＨＲ２において第２回折光を表示する部分は内側から外側へ滑らかに移動する。例えば、第１ホログラム領域ＨＲ１及び第２ホログラム領域ＨＲ２が表示する画像は、図１６に示す状態から図１５に示す状態へ滑らかに変化する。
【０１２８】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１２９】
次に、本発明の第４実施形態について説明する。  
図１７は、本発明の第４実施形態に係る表示体が或る条件下で画像を表示している様子を概略的に示す平面図である。図１８は、図１７の表示体が他の条件下で画像を表示している様子を概略的に示す平面図である。
【０１３０】
図１７及び図１８に示す表示体１は、以下の構成を採用したこと以外は、図１乃至図１２を参照しながら説明した表示体１と同様である。
【０１３１】
即ち、この表示体１は、複数の第１ホログラム領域ＨＲ１と複数の第２ホログラム領域ＨＲ２とを含んでいる。第１ホログラム領域ＨＲ１及び第２ホログラム領域ＨＲ２の各々の形状は、六角形である。
【０１３２】
第１ホログラム領域ＨＲ１は、Ｙ方向に各々が延び、Ｘ方向へ配列した２つの列を形成している。各列において、第１ホログラム領域ＨＲ１は、一組の対辺がＸ方向に対して平行になるように配向している。
【０１３３】
また、第２ホログラム領域ＨＲ２も、Ｙ方向に各々が延び、Ｘ方向へ配列した２つの列を形成している。各列において、第２ホログラム領域ＨＲ２は、一組の対辺がＸ方向に対して平行になるように配向している。
【０１３４】
第１ホログラム領域ＨＲ１の列と第２ホログラム領域ＨＲ２の列とは、Ｘ方向に交互に配列している。Ｙ方向における第１ホログラム領域ＨＲ１の列の位置と、Ｙ方向における第２ホログラム領域ＨＲ２の列の位置とは、第１ホログラム領域ＨＲ１又は第２ホログラム領域ＨＲ２のＹ方向における寸法の半分だけずれている。
【０１３５】
この表示体１を上記の観察条件下で観察した場合、各第１ホログラム領域ＨＲ１において第１回折光を表示する部分は内側から外側へ滑らかに移動し、各第２ホログラム領域ＨＲ２において第２回折光を表示する部分は外側から内側へ滑らかに移動する。例えば、第１ホログラム領域ＨＲ１及び第２ホログラム領域ＨＲ２が表示する画像は、図１７に示す状態から図１８に示す状態へ滑らかに変化する。
【０１３６】
或いは、この観察条件下では、各第１ホログラム領域ＨＲ１において第１回折光を表示する部分は外側から内側へ滑らかに移動し、各第２ホログラム領域ＨＲ２において第２回折光を表示する部分は内側から外側へ滑らかに移動する。例えば、第１ホログラム領域ＨＲ１及び第２ホログラム領域ＨＲ２が表示する画像は、図１８に示す状態から図１７に示す状態へ滑らかに変化する。
【０１３７】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１３８】
次に、本発明の第５実施形態について説明する。  
図１９は、本発明の第５実施形態に係る表示体が或る条件下で画像を表示している様子を概略的に示す平面図である。
【０１３９】
図１９に示す表示体１は、以下の構成を採用したこと以外は、図１乃至図１２を参照しながら説明した表示体１と同様である。
【０１４０】
即ち、この表示体１は、領域Ｒ３を更に含んでいる。領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０１４１】
また、この表示体１では、第１ホログラム領域ＨＲ１は、第１サブ領域ＳＲ１１乃至ＳＲ１６を含み、第２ホログラム領域ＨＲ２は、第２サブ領域ＳＲ２１乃至ＳＲ２６を含んでいる。
【０１４２】
第１サブ領域ＳＲ１１は円形状を有しており、第１サブ領域ＳＲ１２乃至ＳＲ１６は円環形状を有している。第１サブ領域ＳＲ１１乃至ＳＲ１６は、入れ子状に且つ同心に配列している。
【０１４３】
第２サブ領域ＳＲ２１は円形状を有しており、第２サブ領域ＳＲ２２乃至ＳＲ２６は円環形状を有している。第２サブ領域ＳＲ２１乃至ＳＲ２６は、入れ子状に且つ同心に配列している。
【０１４４】
第１サブ領域ＳＲ１１乃至ＳＲ１６の各々において、回折格子ＤＧを構成している凸部又は凹部ＰＲの配列方向及び中心間距離（ピッチ）は一定である。また、第２サブ領域ＳＲ２１乃至ＳＲ２６の各々においても、回折格子ＤＧを構成している凸部又は凹部ＰＲの配列方向及び中心間距離（ピッチ）は一定である。
【０１４５】
第１サブ領域ＳＲ１１乃至ＳＲ１６では、回折格子ＤＧを構成している凸部又は凹部ＰＲ、即ち、第１凸部又は凹部の中心間距離（ピッチ）は一定である。凸部又は凹部ＰＲの長さ方向は、第１サブ領域ＳＲ１１では、Ｘ方向に対して反時計回りに例えば約４５°傾いている。第１サブ領域ＳＲ１２乃至ＳＲ１６では、この傾き角は、第１サブ領域ＳＲ１１からの距離に応じて小さくなっている。そして、第１サブ領域ＳＲ１６では、凸部又は凹部ＰＲの長さ方向は、例えば、Ｘ方向に対して平行である。
【０１４６】
第２サブ領域ＳＲ２１乃至ＳＲ２６では、回折格子ＤＧを構成している凸部又は凹部ＰＲ、即ち、第２凸部又は凹部の中心間距離（ピッチ）は一定である。第１凸部又は凹部の中心間距離と第２凸部又は凹部の中心間距離とは、異なっていてもよい。ここでは、一例として、第１凸部又は凹部と第２凸部又は凹部とは、同じ中心間距離で配列していることとする。
【０１４７】
凸部又は凹部ＰＲの長さ方向は、第２サブ領域ＳＲ２１では、例えば、Ｘ方向に対して平行である。第２サブ領域ＳＲ２２乃至ＳＲ２６では、凸部又は凹部ＰＲの長さ方向は、例えば、Ｘ方向に対して反時計回りに傾いている。第２サブ領域ＳＲ２２乃至ＳＲ２６では、この傾き角は、第２サブ領域ＳＲ２１からの距離に応じて大きくなっている。そして、第２サブ領域ＳＲ２６では、凸部又は凹部ＰＲの長さ方向は、Ｘ向に対して反時計回りに例えば約４５°傾いている。
【０１４８】
或いは、第１サブ領域ＳＲ１１乃至ＳＲ１６では、回折格子ＤＧを構成している凸部又は凹部ＰＲ、即ち、第１凸部又は凹部の長さ方向は、Ｘ方向に対して平行である。また、第２サブ領域ＳＲ２１乃至ＳＲ２６でも、回折格子ＤＧを構成している凸部又は凹部ＰＲ、即ち、第２凸部又は凹部の長さ方向は、Ｘ方向に対して平行である。但し、第１ホログラム領域ＨＲ１では、凸部又は凹部ＰＲの中心間距離（ピッチ）は、第１サブ領域ＳＲ１１から第１サブ領域ＳＲ１６へ順次大きくなっている。そして、第２ホログラム領域ＨＲ２では、凸部又は凹部ＰＲの中心間距離（ピッチ）は、第２サブ領域ＳＲ２１から第２サブ領域ＳＲ２６へ順次小さくなっている。
【０１４９】
図示していないが、図１乃至図１２を参照しながら説明した表示体１も、第１ホログラム領域ＨＲ１は多数の第１サブ領域を含み、第２ホログラム領域ＨＲ２は多数の第２サブ領域を含んでいる。但し、図１乃至図１２を参照しながら説明した表示体１では、各第１サブ領域を間に挟んで隣り合った２つの第１サブ領域間の距離は１０μｍ乃至２０μｍの範囲内にあり、各第２サブ領域を間に挟んで隣り合った２つの第２サブ領域間の距離は１０μｍ乃至２０μｍの範囲内にある。
【０１５０】
これに対し、図１９に示す表示体では、第１サブ領域ＳＲ１１乃至ＳＲ１６は、それらの各々を間に挟んで隣り合った２つの距離が０．１ｍｍ乃至１５ｍｍの範囲内にあり、第２サブ領域ＳＲ２１乃至ＳＲ２６は、それらの各々を間に挟んで隣り合った２つの距離が０．１ｍｍ乃至１５ｍｍの範囲内にある。
【０１５１】
この表示体１を上記の観察条件下で観察した場合、第１ホログラム領域ＨＲ１において第１回折光を表示する部分は外側から内側へ段階的に移動し、第２ホログラム領域ＨＲ２において第２回折光を表示する部分は内側から外側へ段階的に移動する。或いは、この観察条件下では、第１ホログラム領域ＨＲ１において第１回折光を表示する部分は内側から外側へ段階的に移動し、第２ホログラム領域ＨＲ２において第２回折光を表示する部分は外側から内側へ段階的に移動する。
【０１５２】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１５３】
次に、本発明の第６実施形態について説明する。  
図２０は、本発明の第６実施形態に係る表示体が或る条件下で画像を表示している様子を概略的に示す平面図である。
【０１５４】
図２０に示す表示体１は、以下の構成を採用したこと以外は、図１９を参照しながら説明した表示体１と同様である。
【０１５５】
即ち、この表示体１では、第１サブ領域ＳＲ１１乃至ＳＲ１６の配列は偏心している。また、第２サブ領域ＳＲ２１乃至ＳＲ２６の配列も、第１サブ領域ＳＲ１１乃至ＳＲ１６の配列と同様に偏心している。
【０１５６】
この表示体１を上記の観察条件下で観察した場合、第１ホログラム領域ＨＲ１において第１回折光を表示する部分は、外側から内側へ段階的に移動するとともに、その重心の位置を、図において左斜め上方へと移動させる。また、この場合、第２ホログラム領域ＨＲ２において第２回折光を表示する部分は、内側から外側へ段階的に移動するとともに、その重心の位置を、図において右斜め下方へと移動させる。
【０１５７】
或いは、この観察条件下では、第１ホログラム領域ＨＲ１において第１回折光を表示する部分は、内側から外側へ段階的に移動するとともに、その重心の位置を、図において右斜め下方へと移動させる。また、この場合、第２ホログラム領域ＨＲ２において第２回折光を表示する部分は、外側から内側へ段階的に移動するとともに、その重心の位置を、図において左斜め上方へと移動させる。
【０１５８】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１５９】
次に、本発明の第８実施形態について説明する。  
図２１は、本発明の第７実施形態に係る表示体が或る条件下で画像を表示している様子を概略的に示す平面図である。
【０１６０】
図２１に示す表示体１は、以下の構成を採用したこと以外は、図１乃至図１２を参照しながら説明した表示体１と同様である。
【０１６１】
即ち、この表示体１は、領域Ｒ３を更に含んでいる。領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０１６２】
また、この表示体１では、第１ホログラム領域ＨＲ１及び第２ホログラム領域ＨＲ２は、星形状を有している。第１ホログラム領域ＨＲ１は、入れ子状に且つ同心に配列した多数の第１サブ領域を含んでいる。これら第１サブ領域の輪郭は、第１ホログラム領域ＨＲ１の輪郭と相似形の関係にある。また、第２ホログラム領域ＨＲ２は、入れ子状に且つ同心に配列した多数の第２サブ領域を含んでいる。これら第２サブ領域の輪郭は、第２ホログラム領域ＨＲ２の輪郭と相似形の関係にある。
【０１６３】
この表示体１を上記の観察条件下で観察した場合、第１ホログラム領域ＨＲ１において第１回折光を表示する部分は、星形状を維持したまま、外側から内側へ滑らかに移動し、第２ホログラム領域ＨＲ２において第２回折光を表示する部分は、星形状を維持したまま、内側から外側へ滑らかに移動する。或いは、この観察条件下では、第１ホログラム領域ＨＲ１において第１回折光を表示する部分は、星形状を維持したまま、内側から外側へ滑らかに移動し、第２ホログラム領域ＨＲ２において第２回折光を表示する部分は、星形状を維持したまま、外側から内側へ滑らかに移動する。
【０１６４】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１６５】
次に、本発明の第８実施形態について説明する。  
図２２は、本発明の第８実施形態に係る表示体が或る条件下で画像を表示している様子を概略的に示す平面図である。
【０１６６】
図２２に示す表示体１は、以下の構成を採用したこと以外は、図２１を参照しながら説明した表示体１と同様である。
【０１６７】
即ち、この表示体１では、第１サブ領域の配列は偏心している。また、第２サブ領域の配列も、第１サブ領域の配列と同様に偏心している。
【０１６８】
この表示体１を上記の観察条件下で観察した場合、第１ホログラム領域ＨＲ１において第１回折光を表示する部分は、星形状を維持したまま、外側から内側へ滑らかに移動するとともに、その重心の位置を、図において左斜め上方へと移動させる。また、この場合、第２ホログラム領域ＨＲ２において第２回折光を表示する部分は、星形状を維持したまま、内側から外側へ滑らかに移動するとともに、その重心の位置を、図において右斜め下方へと移動させる。
【０１６９】
或いは、この観察条件下では、第１ホログラム領域ＨＲ１において第１回折光を表示する部分は、星形状を維持したまま、内側から外側へ滑らかに移動するとともに、その重心の位置を、図において右斜め下方へと移動させる。また、この場合、第２ホログラム領域ＨＲ２において第２回折光を表示する部分は、星形状を維持したまま、外側から内側へ滑らかに移動するとともに、その重心の位置を、図において左斜め上方へと移動させる。
【０１７０】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１７１】
次に、本発明の第９実施形態について説明する。  
図２３は、本発明の第９実施形態に係る表示体が或る条件下で画像を表示している様子を概略的に示す平面図である。
【０１７２】
図２２に示す表示体１は、以下の構成を採用したこと以外は、図２１を参照しながら説明した表示体１と同様である。
【０１７３】
即ち、この表示体１では、第１サブ領域のうち、中心に位置しているものは円形である。そして、他の第１サブ領域の輪郭は、より内側に位置しているものはより円形に近い形状を有し、より外側に位置しているものはより星形に近い形状を有している。
【０１７４】
また、この表示体では、第２サブ領域のうち、中心に位置しているものは円形である。そして、他の第２サブ領域の輪郭は、より内側に位置しているものはより円形に近い形状を有し、より外側に位置しているものはより星形に近い形状を有している。
【０１７５】
この表示体１を上記の観察条件下で観察した場合、第１ホログラム領域ＨＲ１において第１回折光を表示する部分は、外側から内側へ滑らかに移動するとともに、その形状を、円形から星形へと変化させる。また、この場合、第２ホログラム領域ＨＲ２において第２回折光を表示する部分は、内側から外側へ滑らかに移動するとともに、その形状を、星形から円形へと変化させる。
【０１７６】
或いは、この観察条件下では、第１ホログラム領域ＨＲ１において第１回折光を表示する部分は、内側から外側へ滑らかに移動するとともに、その形状を、星形から円形へと変化させる。また、この場合、第２ホログラム領域ＨＲ２において第２回折光を表示する部分は、外側から内側へ滑らかに移動するとともに、その形状を、円形から星形へと変化させる。
【０１７７】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１７８】
次に、本発明の第１０実施形態について説明する。  
図２４は、本発明の第１０実施形態に係る表示体が或る条件下で画像を表示している様子を概略的に示す平面図である。
【０１７９】
図２４に示す表示体１は、以下の構成を採用したこと以外は、図２３を参照しながら説明した表示体１と同様である。
【０１８０】
即ち、この表示体１では、第１サブ領域の配列は偏心している。また、第２サブ領域の配列も、第１サブ領域の配列と同様に偏心している。
【０１８１】
この表示体１を上記の観察条件下で観察した場合、第１ホログラム領域ＨＲ１において第１回折光を表示する部分は、外側から内側へ滑らかに移動するとともに、その重心の位置を、図において左斜め上方へと移動させ、その形状を円形から星形へと変化させる。また、この場合、第２ホログラム領域ＨＲ２において第２回折光を表示する部分は、内側から外側へ滑らかに移動するとともに、その重心の位置を、図において右斜め下方へと移動させ、その形状を星形から円形へと変化させる。
【０１８２】
或いは、この観察条件下では、第１ホログラム領域ＨＲ１において第１回折光を表示する部分は、内側から外側へ滑らかに移動するとともに、その重心の位置を、図において右斜め下方へと移動させ、その形状を星形から円形へと変化させる。また、この場合、第２ホログラム領域ＨＲ２において第２回折光を表示する部分は、外側から内側へ滑らかに移動するとともに、その重心の位置を、図において左斜め上方へと移動させ、その形状を円形から星形へと変化させる。
【０１８３】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１８４】
次に、本発明の第１１実施形態について説明する。  
図２５は、本発明の第１１実施形態に係る表示体が或る条件下で画像を表示している様子を概略的に示す平面図である。
【０１８５】
図２５に示す表示体１は、以下の構成を採用したこと以外は、図１９を参照しながら説明した表示体１と同様である。
【０１８６】
即ち、この表示体１では、図１９に示す第１ホログラム領域ＨＲ１に、これとほぼ等しい寸法を有する星形状のパターンを同心に重ねたときに、図１９に示す第１ホログラム領域ＨＲ１のうち、この星形状のパターンと重なり合う部分のみで、第１ホログラム領域ＨＲ１を構成している。また、この表示体１では、図１９に示す第２ホログラム領域ＨＲ２に、これとほぼ等しい寸法を有する星形状のパターンを同心に重ねたときに、図１９に示す第２ホログラム領域ＨＲ２のうち、この星形状のパターンと重なり合う部分のみで、第２ホログラム領域ＨＲ２を構成している。
【０１８７】
この表示体１を上記の観察条件下で観察した場合、第１ホログラム領域ＨＲ１において第１回折光を表示する部分は外側から内側へ段階的に移動するとともに、その形状を、部分的に欠落した円環形から、円環形、円形へと変化させる。また、この場合、第２ホログラム領域ＨＲ２において第２回折光を表示する部分は内側から外側へ段階的に移動するとともに、その形状を、円形から、円環形、部分的に欠落した円環形へと変化させる。
【０１８８】
或いは、この観察条件下では、第１ホログラム領域ＨＲ１において第１回折光を表示する部分は内側から外側へ段階的に移動するとともに、その形状を、円形から、円環形、部分的に欠落した円環形へと変化させる。また、この場合、第２ホログラム領域ＨＲ２において第２回折光を表示する部分は外側から内側へ段階的に移動するとともに、その形状を、部分的に欠落した円環形から、円環形、円形へと変化させる。
【０１８９】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１９０】
次に、本発明の第１２実施形態について説明する。  
図２６は、本発明の第１２実施形態に係る表示体が或る条件下で画像を表示している様子を概略的に示す平面図である。
【０１９１】
図２６に示す表示体１は、以下の構成を採用したこと以外は、図２５を参照しながら説明した表示体１と同様である。
【０１９２】
即ち、この表示体１では、第１サブ領域ＳＲ１１乃至ＳＲ１６の配列は偏心している。また、第２サブ領域ＳＲ２１乃至ＳＲ２６の配列も、第１サブ領域ＳＲ１１乃至ＳＲ１６の配列と同様に偏心している。
【０１９３】
この表示体１を上記の観察条件下で観察した場合、第１ホログラム領域ＨＲ１において第１回折光を表示する部分は外側から内側へ段階的に移動するとともに、その重心の位置を、図において左斜め上方へと移動させ、その形状を、部分的に欠落した円環形から、部分的に欠落した円形へと変化させる。また、この場合、第２ホログラム領域ＨＲ２において第２回折光を表示する部分は内側から外側へ段階的に移動するとともに、その重心の位置を、図において右斜め下方へと移動させ、その形状を、部分的に欠落した円形から、部分的に欠落した円環形へと変化させる。
【０１９４】
或いは、この観察条件下では、第１ホログラム領域ＨＲ１において第１回折光を表示する部分は内側から外側へ段階的に移動するとともに、その重心の位置を、図において右斜め下方へと移動させ、その形状を、部分的に欠落した円形から、部分的に欠落した円環形へと変化させる。また、この場合、第２ホログラム領域ＨＲ２において第２回折光を表示する部分は外側から内側へ段階的に移動するとともに、その重心の位置を、図において左斜め上方へと移動させ、その形状を、部分的に欠落した円環形から、部分的に欠落した円形へと変化させる。
【０１９５】
この表示体１は、上述した通り、逆方向の動きを同時に表現しながらも、目に過度な疲労を与えることがなく、また、動きを正確に認識可能である。また、この表示体１は、上述した理由により、偽造され難い。
【０１９６】
次に、本発明の第１３実施形態について説明する。  
図２７は、本発明の第１３実施形態に係る表示体が或る条件下で画像を表示している様子を概略的に示す平面図である。
【０１９７】
図２７に示す表示体１は、以下の構成を採用したこと以外は、図１９を参照しながら説明した表示体１と同様である。
【０１９８】
即ち、この表示体１では、第１ホログラム領域ＨＲ１を、第１サブ領域ＳＲ１０乃至ＳＲ１７で構成している。また、この表示体１では、第２ホログラム領域ＨＲ２を、第２サブ領域ＳＲ２０乃至ＳＲ２７で構成している。即ち、この表示体１では、第１ホログラム領域ＨＲ１及び第２ホログラム領域ＨＲ２の各々を構成するサブ領域の数を増やしている。そして、この表示体１では、第１サブ領域ＳＲ１０乃至ＳＲ１７はＸ方向に配列し、第２サブ領域ＳＲ２０乃至ＳＲ２７もＸ方向に配列している。
【０１９９】
この表示体１を上記の観察条件下で観察した場合、第１ホログラム領域ＨＲ１において第１回折光を表示する部分は、図において、右側から左側へ段階的に移動する。また、この場合、第２ホログラム領域ＨＲ２において第２回折光を表示する部分は、図において、左側から右側へ段階的に移動する。
【０２００】
或いは、この観察条件下では、第１ホログラム領域ＨＲ１において第１回折光を表示する部分は、図において、左側から右側へ段階的に移動する。また、この場合、第２ホログラム領域ＨＲ２において第２回折光を表示する部分は、図において、右側から左側へ段階的に移動する。
【０２０１】
この表示体１は、上述した通り、逆方向の動きを同時に表現しながらも、目に過度な疲労を与えることがなく、また、動きを正確に認識可能である。また、この表示体１は、上述した理由により、偽造され難い。
【０２０２】
次に、本発明の第１４実施形態について説明する。  
図２８は、本発明の第１４実施形態に係る表示体が或る条件下で画像を表示している様子を概略的に示す平面図である。
【０２０３】
図２８に示す表示体１は、以下の構成を採用したこと以外は、図１乃至図１２を参照しながら説明した表示体１と同様である。
【０２０４】
即ち、この表示体１は、表示領域Ｒ１及びＲ２と、領域Ｒ３とを含んでいる。  
表示領域Ｒ１は、円形状を有している。表示領域Ｒ１では、Ｘ方向に各々が延びた波形の第１ホログラム領域ＨＲ１と、Ｘ方向に各々が延びた波形の第２ホログラム領域ＨＲ２とが、Ｙ方向へ交互に配列している。
【０２０５】
表示領域Ｒ２は、円形状を有している。表示領域Ｒ２では、Ｘ方向に各々が延びた波形の第１ホログラム領域ＨＲ１と、Ｘ方向に各々が延びた波形の第２ホログラム領域ＨＲ２とが、Ｙ方向へ交互に配列している。
【０２０６】
表示領域Ｒ２が含んでいる第１ホログラム領域ＨＲ１の形状及びその表示領域Ｒ２における相対的な位置は、表示領域Ｒ１が含んでいる第２ホログラム領域ＨＲ２の形状及びその表示領域Ｒ１における相対的な位置と等しい。また、表示領域Ｒ２が含んでいる第２ホログラム領域ＨＲ２の形状及びその表示領域Ｒ２における相対的な位置は、表示領域Ｒ１が含んでいる第１ホログラム領域ＨＲ１の形状及びその表示領域Ｒ１における相対的な位置と等しい。
【０２０７】
また、この表示体１では、第１ホログラム領域ＨＲ１において、凸部又は凹部ＰＲの長さ方向の傾き角は図の左側から右側へ向けて徐々に大きくなっているか、又は、凸部又は凹部の中心間距離（ピッチ）は図の左側から右側へ向けて徐々に小さくなっている。また、この表示体１では、第２ホログラム領域ＨＲ２において、凸部又は凹部ＰＲの長さ方向の傾き角は図の右側から左側へ向けて徐々に小さくなっているか、又は、凸部又は凹部の中心間距離（ピッチ）は図の右側から左側へ向けて徐々に大きくなっている。
【０２０８】
領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０２０９】
この表示体１を上記の観察条件下で観察した場合、第１ホログラム領域ＨＲ１において第１回折光を表示する部分は左側から右側へ滑らかに移動し、第２ホログラム領域ＨＲ２において第２回折光を表示する部分は右側から左側へ滑らかに移動する。また、この場合、表示領域Ｒ１が表示する画像と、表示領域Ｒ２が表示する画像とは、逆方向に変化するように見える。
【０２１０】
或いは、この観察条件下では、第１ホログラム領域ＨＲ１において第１回折光を表示する部分は右側から左側へ滑らかに移動し、第２ホログラム領域ＨＲ２において第２回折光を表示する部分は左側から右側へ滑らかに移動する。また、この場合、表示領域Ｒ１が表示する画像と、表示領域Ｒ２が表示する画像とは、逆方向に変化するように見える。
【０２１１】
この表示体１は、上述した通り、逆方向の動きを同時に表現しながらも、目に過度な疲労を与えることがなく、また、動きを正確に認識可能である。また、この表示体１は、上述した理由により、偽造され難い。
【０２１２】
次に、本発明の第１５実施形態について説明する。  
図２９は、本発明の第１５実施形態に係る表示体が或る条件下で画像を表示している様子を概略的に示す平面図である。
【０２１３】
図２９に示す表示体１は、以下の構成を採用したこと以外は、図１乃至図１２を参照しながら説明した表示体１と同様である。
【０２１４】
即ち、この表示体１は、Ｘ方向の寸法が約１ｃｍ乃至約３ｃｍの範囲内にあり、Ｙ方向の寸法が約７ｃｍ乃至約１０ｃｍの範囲内にある。
【０２１５】
この表示体１は、領域Ｒ３と、表示領域Ｒ４乃至Ｒ６とを含んでいる。  
領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０２１６】
表示領域Ｒ４は、扇形である。表示領域Ｒ４は、Ｘ方向の寸法が約１．５ｃｍ乃至約２ｃｍの範囲内にあり、Ｙ方向の寸法が約２ｃｍ乃至約３ｃｍの範囲内にある。
【０２１７】
表示領域Ｒ４は、第１ホログラム領域ＨＲ１ａ及びＨＲ１ｂと、第２ホログラム領域ＨＲ２ａ及びＨＲ２ｂとを含んでいる。
【０２１８】
第１ホログラム領域ＨＲ１ａ及びＨＲ１ｂの各々は、略台形であり、台形の高さ方向に配列した複数の第１サブ領域を含んでいる。これら第１サブ領域は、図１９を参照しながら説明した第１サブ領域ＳＲ１１乃至ＳＲ１６と同様の構造を有している。
【０２１９】
第２ホログラム領域ＨＲ２ａ及びＨＲ２ｂの各々は、略台形であり、台形の高さ方向に配列した複数の第２サブ領域を含んでいる。これら第２サブ領域は、図１９を参照しながら説明した第２サブ領域ＳＲ２１乃至ＳＲ２６と同様の構造を有している。
【０２２０】
第１ホログラム領域ＨＲ１ａは、台形の高さが、Ｙ方向に対して反時計回りに大きく傾くように配向している。第２ホログラム領域ＨＲ２ａは、台形の高さが、Ｙ方向に対して反時計回りに小さく傾くように配向している。
【０２２１】
第１ホログラム領域ＨＲ１ｂは、台形の高さが、Ｙ方向に対して時計回りに大きく傾くように配向している。第２ホログラム領域ＨＲ２ｂは、台形の高さが、Ｙ方向に対して時計回りに小さく傾くように配向している。
【０２２２】
表示領域Ｒ５は、領域Ｒ５ａ及びＲ５ｂを含んでいる。領域Ｒ５ａ及びＲ５ｂの各々は、亀の形状を有している。領域Ｒ５ａ及びＲ５ｂは、短軸が約２ｃｍであり、長軸が約３ｃｍであり、長軸がＹ方向に対して時計回りに傾いた楕円形の領域内で配列している。
【０２２３】
領域Ｒ５ａのうち、亀の甲羅に相当する部分は、図１乃至図１２を参照しながら説明した第１ホログラム領域ＨＲ１を複数配列させた構造を有している。また、領域Ｒ５ｂのうち、亀の甲羅に相当する部分は、図１乃至図１２を参照しながら説明した第２ホログラム領域ＨＲ２を複数配列させた構造を有している。
【０２２４】
表示領域Ｒ６は、領域Ｒ６ａ及びＲ６ｂを含んでいる。領域Ｒ６ａ及びＲ６ｂは、それぞれ、数字「３」及び「０」の形状を有している。領域Ｒ６ａ及びＲ６ｂは、短軸が約２ｃｍであり、長軸が約３ｃｍであり、長軸がＸ方向に対して平行な楕円形の領域内で配列している。
【０２２５】
領域Ｒ６ａは、図１乃至図１２を参照しながら説明した第２ホログラム領域ＨＲ２と同様の構造を有している。また、領域Ｒ５ｂは、図１乃至図１２を参照しながら説明した第１ホログラム領域ＨＲ１と同様の構造を有している。
【０２２６】
この表示体１を上記の観察条件下で観察した場合、第１ホログラム領域ＨＲ１ａ及びＨＲ１ｂにおいて第１回折光を表示する部分は、台形の上底側から下底側へ段階的に移動し、第２ホログラム領域ＨＲ２ａ及びＨＲ２ｂにおいて第２回折光を表示する部分は、台形の下底側から上底側へ段階的に移動する。また、この場合、領域Ｒ５ａの亀の甲羅に相当する部分及び領域Ｒ６ｂが含んでいる第１ホログラム領域ＨＲ１では、第１回折光を表示する部分は内側から外側へ滑らかに移動し、領域Ｒ５ｂの亀の甲羅に相当する部分及び領域Ｒ６ａが含んでいる第２ホログラム領域ＨＲ２では、第２回折光を表示する部分は外側から内側へ滑らかに移動する。
【０２２７】
或いは、この観察条件下では、第１ホログラム領域ＨＲ１ａ及びＨＲ１ｂにおいて第１回折光を表示する部分は、台形の下底側から上底側へ段階的に移動し、第２ホログラム領域ＨＲ２ａ及びＨＲ２ｂにおいて第２回折光を表示する部分は、台形の上底側から下底側へ段階的に移動する。また、この場合、領域Ｒ５ａの亀の甲羅に相当する部分及び領域Ｒ６ｂが含んでいる第１ホログラム領域ＨＲ１では、第１回折光を表示する部分は外側から内側へ滑らかに移動し、領域Ｒ５ｂの亀の甲羅に相当する部分及び領域Ｒ６ａが含んでいる第２ホログラム領域ＨＲ２では、第２回折光を表示する部分は内側から外側へ滑らかに移動する。
【０２２８】
この表示体１は、上述した通り、逆方向の動きを同時に表現しながらも、目に過度な疲労を与えることがなく、また、動きを正確に認識可能である。また、この表示体１は、上述した理由により、偽造され難い。
【０２２９】
次に、本発明の第１６実施形態について説明する。  
図３０は、本発明の第１６実施形態に係る表示体が或る条件下で画像を表示している様子を概略的に示す平面図である。
【０２３０】
図３０に示す表示体１は、以下の構成を採用したこと以外は、図１乃至図１２を参照しながら説明した表示体１と同様である。
【０２３１】
即ち、この表示体１は、Ｘ方向の寸法が約１ｃｍ乃至約３ｃｍの範囲内にあり、Ｙ方向の寸法が約７ｃｍ乃至約１０ｃｍの範囲内にある。
【０２３２】
また、この表示体１は、第１ホログラム領域ＨＲ１を複数含み、第２ホログラム領域ＨＲ２を複数含んでいる。第１ホログラム領域ＨＲ１及び第２ホログラム領域ＨＲ２の形状は菱形であり、それらは、Ｙ方向へ交互に配列している。第１ホログラム領域ＨＲ１及び第２ホログラム領域ＨＲ２の各々は、Ｘ方向の寸法が約３ｃｍであり、Ｙ方向の寸法が約２ｃｍである。
【０２３３】
更に、この表示体１は、領域Ｒ３を更に含んでいる。領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０２３４】
この表示体１を上記の観察条件下で観察した場合、第１ホログラム領域ＨＲ１において第１回折光を表示する部分は内側から外側へ滑らかに移動し、第２ホログラム領域ＨＲ２において第２回折光を表示する部分は外側から内側へ滑らかに移動する。
【０２３５】
或いは、この観察条件下では、第１ホログラム領域ＨＲ１において第１回折光を表示する部分は外側から内側へ滑らかに移動し、第２ホログラム領域ＨＲ２において第２回折光を表示する部分は内側から外側へ滑らかに移動する。
【０２３６】
この表示体１は、上述した通り、逆方向の動きを同時に表現しながらも、目に過度な疲労を与えることがなく、また、動きを正確に認識可能である。また、この表示体１は、上述した理由により、偽造され難い。
【０２３７】
次に、本発明の第１７実施形態について説明する。  
図３１は、本発明の第１７実施形態に係る表示体を概略的に示す平面図である。
【０２３８】
図３１に示す表示体１は、以下の構成を採用したこと以外は、図１乃至図１２を参照しながら説明した表示体１と同様である。
【０２３９】
即ち、この表示体１は、領域Ｒ３を更に含んでいる。領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０２４０】
また、この表示体１では、第１ホログラム領域ＨＲ１と第２ホログラム領域ＨＲ２とは、表示体１を観察した観察者が、部分的に重なり合った図形、ここでは花を認識するように画像を表示する。ここでは、具体的には、第１ホログラム領域ＨＲ１は、花の全体に対応した形状を有している。他方、第２ホログラム領域ＨＲ２は、第１ホログラム領域ＨＲ１が表示する花と重なり合った部分が欠落した花に対応した形状を有している。
【０２４１】
この表示体１を上記の観察条件下で観察した場合、第１ホログラム領域ＨＲ１において第１回折光を表示する部分は内側から外側へ滑らかに移動し、第２ホログラム領域ＨＲ２において第２回折光を表示する部分は外側から内側へ滑らかに移動する。
【０２４２】
或いは、この観察条件下では、第１ホログラム領域ＨＲ１において第１回折光を表示する部分は外側から内側へ滑らかに移動し、第２ホログラム領域ＨＲ２において第２回折光を表示する部分は内側から外側へ滑らかに移動する。
【０２４３】
この表示体１は、上述した通り、逆方向の動きを同時に表現しながらも、目に過度な疲労を与えることがなく、また、動きを正確に認識可能である。また、この表示体１は、上述した理由により、偽造され難い。
【０２４４】
更に、この表示体１では、第１ホログラム領域ＨＲ１と第２ホログラム領域ＨＲ２とは、表示体１を観察した観察者が、部分的に重なり合った図形を認識するように画像を表示する。それ故、観察者は逆方向の動きを認識し易い。
【０２４５】
次に、本発明の第１８実施形態について説明する。  
図３２は、本発明の第１８実施形態に係る表示体を概略的に示す平面図である。図３３は、図３２に示す表示体の一部を拡大して示す平面図である。
【０２４６】
図３２及び図３３に示す表示体１は、以下の構成を採用したこと以外は、図１乃至図１２を参照しながら説明した表示体１と同様である。
【０２４７】
即ち、この表示体１は、領域Ｒ３を更に含んでいる。領域Ｒ３は、例えば、レリーフ構造が設けられていないか、又は、第１ホログラム領域ＨＲ１及び第２ホログラム領域ＨＲ２とは異なるレリーフ構造が設けられたこと以外は、第１ホログラム領域ＨＲ１又は第２ホログラム領域ＨＲ２と同様の構造を有している。
【０２４８】
また、この表示体１では、第１ホログラム領域ＨＲ１の一部と第２ホログラム領域ＨＲ２の一部とは重なり合っている。重複領域ＨＲ１２は、それらが重なり合った領域である。重複領域ＨＲ１２については、後で詳しく説明する。
【０２４９】
第１ホログラム領域ＨＲ１は、表示体１を観察した観察者が、１つの画像、ここでは花を認識するように画像を表示する。また、第２ホログラム領域ＨＲ２は、表示体１を観察した観察者が、１つの画像、ここでは葉を認識するように画像を表示する。
【０２５０】
更に、この表示体１は、第１ホログラム領域ＨＲ１及び第２ホログラム領域ＨＲ２に、複数の画素を、互いに交差する２つの方向、ここではＸ方向及びＹ方向へ規則的に配列させた構造を採用している。  
これら画素は、図３３に示すように、第１画素ＰＸ１と、第２画素ＰＸ２とを含んでいる。
【０２５１】
第１画素ＰＸ１は、第１ホログラム領域ＨＲ１に位置している。第１画素ＰＸ１の各々は、第１サブ領域の１つ又はその一部を構成している。第１画素ＰＸ１の集合は、第１ホログラム領域ＨＲ１が表示する画像、ここでは花を表示するように構成されている。
【０２５２】
第２画素ＰＸ２は、第２ホログラム領域ＨＲ２に位置している。第２画素ＰＸ２の各々は、第２サブ領域の１つ又はその一部を構成している。第２画素ＰＸ２の集合は、第２ホログラム領域ＨＲ２が表示する画像、ここでは葉を表示するように構成されている。
【０２５３】
重複領域ＨＲ１２では、第１画素ＰＸ１と第２画素ＰＸ２とが混在している。第１ホログラム領域ＨＲ１のうち、重複領域ＨＲ１２以外の部分では、第１画素ＰＸ１及び第２画素ＰＸ２のうち第１画素ＰＸ１のみが配列している。第２ホログラム領域ＨＲ２のうち、重複領域ＨＲ１２以外の部分では、第１画素ＰＸ１及び第２画素ＰＸ２のうち第２画素ＰＸ２のみが配列している。
【０２５４】
この表示体１を上記の観察条件下で観察した場合、第１ホログラム領域ＨＲ１において第１回折光を表示する部分は内側から外側へ滑らかに移動し、第２ホログラム領域ＨＲ２において第２回折光を表示する部分は外側から内側へ滑らかに移動する。
【０２５５】
或いは、この観察条件下では、第１ホログラム領域ＨＲ１において第１回折光を表示する部分は外側から内側へ滑らかに移動し、第２ホログラム領域ＨＲ２において第２回折光を表示する部分は内側から外側へ滑らかに移動する。
【０２５６】
この表示体１は、上述した通り、逆方向の動きを同時に表現しながらも、目に過度な疲労を与えることがなく、また、動きを正確に認識可能である。また、この表示体１は、上述した理由により、偽造され難い。
【０２５７】
また、第１ホログラム領域ＨＲ１と第２ホログラム領域ＨＲ２とは、表示体１を観察した観察者が、部分的に重なり合った図形を認識するように画像を表示する。それ故、観察者は逆方向の動きを認識し易い。
【０２５８】
更に、この表示体１では、第１ホログラム領域ＨＲ１と第２ホログラム領域ＨＲ２とは部分的に重なり合っている。重複領域ＨＲ１２は、第１ホログラム領域ＨＲ１による画像の表示と、第２ホログラム領域ＨＲ２による画像の表示との双方に関与する。このような構造は、偽像が困難である。それ故、この表示体１は、更に偽造され難い。
【０２５９】
次に、本発明の一実施形態に係る転写箔について説明する。  
図３４は、本発明の一実施形態に係る転写箔を概略的に示す断面図である。
【０２６０】
図３４に示す転写箔２は、支持体２１と転写材層２２と接着層２３とを含んでいる。  
支持体２１は、転写材層２２を剥離可能に支持している。  
接着層２３は、転写材層２２を被覆している。
【０２６１】
転写材層２２は、レリーフ構造形成層２２１と、反射層２２２と、剥離保護層２２３とを含んでいる。剥離保護層２２３、レリーフ構造形成層２２１、及び反射層２２２は、この順に、支持体２１上に積層されている。
【０２６２】
転写材層２２は、互いに隣接した転写部ＴＰ１及び非転写部ＴＰ２を含んでいる。  
転写部ＴＰ１は、転写材層２２のうち、物品へ転写される部分であって、上記の表示体１を含んでいる。非転写部ＴＰ２は、転写材層２２のうち、物品へ転写されずに残留する部分である。
【０２６３】
次に、本発明の一実施形態に係る粘着ラベルについて説明する。  
図３５は、本発明の一実施形態に係る粘着ラベルを概略的に示す断面図である。
【０２６４】
図３５に示す粘着ラベル３は、基材３１と表示体１と粘着層３２とを含んでいる。なお、図３５において、なお、参照符号４は、台紙を表している。
【０２６５】
基材３１は、例えば、透明樹脂フィルムである。基材３１は、その一方の主面に、表示体１を支持している。
【０２６６】
粘着層３２は、表示体１の一方の主面に設けられている。粘着層３２は、表示体１を間に挟んで基材３１と向き合っている。粘着層３２は、粘着ラベル３の使用直前まで、台紙４によって保護される。
【０２６７】
次に、本発明の一実施形態に係るラベル付き物品について説明する。  
図３６は、本発明の一実施形態に係るラベル付き物品を概略的に示す平面図である。
【０２６８】
図３６に示すラベル付き物品５は、印刷物である。このラベル付き物品５は、表示体１と、これを支持した物品５１とを含んでいる。物品５１は、紙などの印刷基材と、これに設けられた印刷層を含んでいる。表示体１は、例えば、この物品５１の表面に貼り付けるか又はこの物品５１内に埋め込まれることにより、物品５１によって支持されている。
【０２６９】
以上、幾つかの実施形態について説明したが、上述した実施形態において説明した技術は、互いに組み合わせることができる。例えば、第１乃至第１６実施形態の何れか１つにおいて説明した第１ホログラム領域ＨＲ１と、他の実施形態において説明した第２ホログラム領域ＨＲ２とを組み合わせることができる。
【符号の説明】
【０２７０】
１…表示体、２…転写箔、３…粘着ラベル、４…台紙、５…ラベル付き物品、１１…レリーフ構造形成層、１２…反射層、２１…支持体、２２…転写材層、２３…接着層、３１…基材、３２…粘着層、５１…物品、２２１…レリーフ構造形成層、２２２…反射層、２２３…剥離保護層、ＤＧ…回折格子、Ｆ…楕円、ＨＲ１…第１ホログラム領域、ＨＲ１ａ…第１ホログラム領域、ＨＲ１ｂ…第１ホログラム領域、ＨＲ２…第２ホログラム領域、ＨＲ２ａ…第２ホログラム領域、ＨＲ２ｂ…第２ホログラム領域、ＨＲ１２…重複領域、Ｐ１１…中央部、Ｐ１２…周縁部、Ｐ２１…中央部、Ｐ２２…周縁部、ＰＲ…凸部又は凹部、ＰＸ１…第１画素、ＰＸ２…第２画素、Ｒ１…表示領域、Ｒ２…表示領域、Ｒ３…領域、Ｒ４…表示領域、Ｒ５…表示領域、Ｒ５ａ…領域、Ｒ５ｂ…領域、Ｒ６…表示領域、Ｒ６ａ…領域、Ｒ６ｂ…領域、ＳＲ１０…第１サブ領域、ＳＲ１１…第１サブ領域、ＳＲ１２…第１サブ領域、ＳＲ１３…第１サブ領域、ＳＲ１４…第１サブ領域、ＳＲ１５…第１サブ領域、ＳＲ１６…第１サブ領域、ＳＲ１７…第１サブ領域、ＳＲ２０…第２サブ領域、ＳＲ２１…第２サブ領域、ＳＲ２２…第２サブ領域、ＳＲ２３…第２サブ領域、ＳＲ２４…第２サブ領域、ＳＲ２５…第２サブ領域、ＳＲ２６…第２サブ領域、ＳＲ２７…第２サブ領域、ＴＰ１…転写部、ＴＰ２…非転写部。
【図１】
2019020594.tif 000003
【図２】
2019020594.tif 000004
【図３】
2019020594.tif 000005
【図４】
2019020594.tif 000006
【図５】
2019020594.tif 000007
【図６】
2019020594.tif 000008
【図７】
2019020594.tif 000009
【図８】
2019020594.tif 000010
【図９】
2019020594.tif 000011
【図１０】
2019020594.tif 000012
【図１１】
2019020594.tif 000013
【図１２】
2019020594.tif 000014
【図１３】
2019020594.tif 000015
【図１４】
2019020594.tif 000016
【図１５】
2019020594.tif 000017
【図１６】
2019020594.tif 000018
【図１７】
2019020594.tif 000019
【図１８】
2019020594.tif 000020
【図１９】
2019020594.tif 000021
【図２０】
2019020594.tif 000022
【図２１】
2019020594.tif 000023
【図２２】
2019020594.tif 000024
【図２３】
2019020594.tif 000025
【図２４】
2019020594.tif 000026
【図２５】
2019020594.tif 000027
【図２６】
2019020594.tif 000028
【図２７】
2019020594.tif 000029
【図２８】
2019020594.tif 000030
【図２９】
2019020594.tif 000031
【図３０】
2019020594.tif 000032
【図３１】
2019020594.tif 000033
【図３２】
2019020594.tif 000034
【図３３】
2019020594.tif 000035
【図３４】
2019020594.tif 000036
【図３５】
2019020594.tif 000037
【図３６】
2019020594.tif 000038